(57)【要約】インジケータおよび締結具とインジケータのアセンブリは、締結具上の相補的部分に係合するためのインジケータ上の内向きに延在する係合部分を有する。締結具は、環状溝を含んでもよく、インジケータは、締結具の環状溝の中に延在するための相補的環状リムを含んでもよい。インジケータの一部または全部は、弾力可撓性であって、インジケータの一部または全部が、締結具上の定位置にあるとき、伸展されるように構成されてもよい。締結具の実施例は、ナットおよび／またはボルトを含んでもよい。
2018535377.tif 000002
【特許請求の範囲】
【請求項１】
インジケータであって、
軸に沿って延在し、ボア表面を有するボアを画定する中間部分を含む本体であって、前記ボア表面は、締結具の外部部分上の相補的表面に実質的に共形化するように構成される複数の表面部分を含む、本体と、
前記本体の第１の端部にある基部部分であって、前記基部部分は、前記本体の第１の端部の周縁の周囲に部分的に延在し、インジケータ部分を含む、基部部分と、
を備え、
前記第１の端部と反対の前記本体の第２の端部にある弾力可撓性係合部分であって、前記弾力可撓性係合部分は、前記本体の外側表面に対して内向きに延在する部分を有する、弾力可撓性係合部分
を備えることを特徴とする、
インジケータ。
【請求項２】
前記複数の表面部分は、軸方向に延在し、締結具上の複数のレンチ留め表面に共形化する、請求項１に記載のインジケータ。
【請求項３】
前記インジケータは、単一材料から形成される、前記請求項のいずれかに記載のインジケータ。
【請求項４】
前記本体の外側表面は、手動把持またはレンチ留めのために構成される軸方向に延在する外側表面を含む、前記請求項のいずれかに記載のインジケータ。
【請求項５】
前記本体の第１の端部における前記ボアの一部は、円錐台状表面を含む、前記請求項のいずれかに記載のインジケータ。
【請求項６】
前記弾力可撓性係合部分は、前記本体の外側表面に対して内向きに延在する、弧状に延在するリムを含む、前記請求項のいずれかに記載のインジケータ。
【請求項７】
前記リムは、前記本体の第２の端部の周囲の円形内に延在する、請求項６に記載のインジケータ。
【請求項８】
前記弾力可撓性係合部分は、前記ボア表面から内向きにある角度で延在する、内部部分上の円錐台状表面を含む、前記請求項のいずれかに記載のインジケータ。
【請求項９】
前記弾力可撓性係合部分は、前記インジケータの端部表面を形成する、前記請求項のいずれかに記載のインジケータ。
【請求項１０】
前記請求項のいずれかに記載のインジケータと締結具のアセンブリであって、前記締結具は、前記インジケータのボア内の複数の表面部分に実質的に共形化するレンチ留め表面を有する外部表面と、相補的締結具に係合するための螺旋係合表面を伴う表面とを伴う、本体を含み、前記締結具本体は、前記インジケータの内向きに延在する部分の少なくとも一部を受容するための係合表面を含む、アセンブリ。
【請求項１１】
前記締結具係合表面は、前記締結具の本体上の辺縁と前記レンチ留め表面との間に円周方向に延在する溝を含む、請求項１０に記載のアセンブリ。
【請求項１２】
前記溝と前記レンチ留め表面との間に延在する円錐台状表面をさらに含む、請求項１０−１１のいずれかに記載のアセンブリ。
【請求項１３】
前記辺縁は、円錐台状表面を含む、請求項１１−１２のいずれかに記載のアセンブリ。
【請求項１４】
前記インジケータは、前記インジケータが前記締結具から除去されると、弛緩状態を有し、前記弾力可撓性係合部分は、前記インジケータが前記締結具上に位置付けられると、撓曲される、請求項１０−１３のいずれかに記載のアセンブリ。
【請求項１５】
前記インジケータの本体のボア内の複数の表面部分は、前記インジケータが弛緩状態にあるとき、前記インジケータの最小内径を画定し、前記締結具の本体上のレンチ留め表面は、反対レンチ留め表面間の外径および最小直径を画定し、前記反対レンチ留め表面間の最小直径は、前記インジケータの最小内径を上回る、請求項１０−１４のいずれかに記載のアセンブリ。
【請求項１６】
前記締結具は、ナットまたはピン、ボルト、もしくはねじ等のオス型締結具のいずれかである、前記請求項のいずれかに記載のアセンブリ。
【請求項１７】
請求項１０−１６のいずれかに記載の少なくとも１つのアセンブリを有する、ハブアセンブリ。
【請求項１８】
少なくとも２つの隣接するアセンブリをさらに含み、少なくとも１対の隣接するアセンブリは、個別のインジケータを前記締結具アセンブリ内のオス型締結具のヘッド上に含む、請求項１７に記載のハブアセンブリ。
【請求項１９】
前記対の隣接する締結具アセンブリのオス型締結具のヘッド上の個別のインジケータは、相互に接触する、請求項１８に記載のハブアセンブリ。
【請求項２０】
複数のインジケータを含有するためのキットであって、
容器と、
複数のインジケータであって、少なくとも１つのインジケータは、特定の締結具構成上で使用可能であるように構成され、前記少なくとも１つのインジケータは、軸に沿って延在する本体を有し、前記本体は、ボア表面を有するボアを画定する中間部分を含み、前記ボア表面は、締結具の外部部分上の相補的表面に実質的に共形化するように構成される複数の表面部分を含む、複数のインジケータと、
前記本体の第１の端部にある基部部分であって、前記基部部分は、前記本体の第１の端部の周縁の周囲に部分的に延在し、インジケータ部分を含む、基部部分と、
を備え、
前記第１の端部と反対の前記本体の第２の端部にある弾力可撓性係合部分であって、前記弾力可撓性係合部分は、前記本体の外側表面に対して内向きに延在する部分を有する、弾力可撓性係合部分
を備えることを特徴とする、
キット。
【発明の詳細な説明】
【技術分野】
【０００１】
（関連出願の参照）
本願は、２０１５年１０月２６日に出願され、ＮＵＴ  ＩＮＤＩＣＡＴＯＲＳ  ＡＮＤ  ＡＳＳＥＭＢＬＩＥＳ  ＴＨＥＲＥＯＦと題されたカナダ出願第２，９１０，６９４号からの優先権を主張するものである。米国を目的として、本願は、２０１５年１０月２６日に出願され、ＮＵＴ  ＩＮＤＩＣＡＴＯＲＳ  ＡＮＤ  ＡＳＳＥＭＢＬＩＥＳ  ＴＨＥＲＥＯＦと題されたカナダ出願第２，９１０，６９４号の３５  Ｕ．Ｓ．Ｃ．§１１９のもとでの利益を主張するものであり、該出願は、あらゆる目的のために本明細書中に援用される。
【０００２】
これらの発明は、インジケータ、例えば、ナットインジケータ、ボルトインジケータ、ならびにナットとナットインジケータおよび／またはボルトとボルトインジケータのアセンブリに関する。インジケータは、車、バス、もしくは他の車両のボルトおよび／またはホイールナット、もしくは航空機のホイールボルトおよび／またはナット上で使用されてもよい。概して、そのようなインジケータおよびそのアセンブリは、噛合するオス型またはメス型ねじ山付き要素上に締結されるとき、ボルトおよび／またはナットの螺合解除もしくは弛みを最小限にする、または検出するための手段を要求する、任意の他の用途で使用されてもよい。
【背景技術】
【０００３】
第ＧＢ２，５１３，１５５号は、締結具および締結具にわたって嵌合されるカラーを示し、カラーは、締結具とともに回転し、例えば、逆荷重、振動、または別様による締付荷重弛緩として説明される、締結具が経時的に回転し得た量を示す。ナット（１、１０１）は、レンチ留め平坦部と、ワークピースに対して支承するためのスカートとを含む。ナットは、オス型締結具上の相補的ねじ山と噛合するための内部ねじ山を含む。環状溝が、ナットの円周の周囲において、スカートと反対のレンチ留め平坦部の側に延在する。ナットは、カラーがナットとともに回転するようにナットの外形に合致する内側外形を有する、プラスチックカラー（３、１０３）と、マークまたは他のインジケータに対するナットの回転量を示す、インジケータ（９、１２１）と嵌合される。
【０００４】
第ＧＢ２，３２５，５０５号は、ナット位置インジケータと、非円形外側形状を有し得る、除塵キャップ２４とを示す。
【先行技術文献】
【特許文献】
【０００５】
【特許文献１】英国特許出願公開第２，５１３，１５５号明細書
【特許文献２】英国特許出願公開第２，３２５，５０５号明細書
【発明の概要】
【課題を解決するための手段】
【０００６】
一実施形態によるインジケータは、軸に沿って延在する、本体を備え、ボア表面を有するボアを画定する、中間部分を含む。ボア表面は、締結具の外部部分上の相補的表面に実質的に共形化するように構成される、複数の表面部分と、本体の第１の端部にあって、本体の第１の端部の周縁の周囲に部分的に延在し、インジケータ部分を含む、基部部分と、第１の端部と反対の本体の第２の端部にあって、本体の外側表面に対して内向きに延在する部分を有する、弾力可撓性係合部分とを含む。
【０００７】
弾力可撓性係合部分は、その部分が、締結具上の相補的表面にわたって延在し、それに係合し得、弾力可撓性係合部分および相補的表面が、好適な除去力が印加されない限り、または印加されるまで、インジケータの除去を限定するように、十分に弾力可撓性であるように形成される。
インジケータは、単独で、または組み合わせて得られる、以下の具体的特徴を有し得る。
−複数の表面部分は、軸方向に延在し、締結具上の複数のレンチ留め表面に共形化する。
−インジケータは、単一材料から形成される。
−本体の外側表面は、手動把持またはレンチ留めのために構成される、軸方向に延在する外側表面を含む。
−本体の第１の端部におけるボアの一部は、円錐台状表面を含む。
−弾力可撓性係合部分は、本体の外側表面に対して内向きに延在する、弧状に延在するリムを含む。
−リムは、本体の第２の端部の周囲の円形内に延在する。
−弾力可撓性係合部分は、ボア表面から内向きにある角度で延在する、内部部分上の円錐台状表面を含む。
−弾力可撓性係合部分は、インジケータの端部表面を形成する。
【０００８】
本発明はまた、本発明の任意の実施形態によるインジケータと締結具のアセンブリに関する。締結具は、インジケータのボア内の複数の表面部分に実質的に共形化するレンチ留め表面を有する、外部表面と、相補的締結具に係合するための螺旋係合表面を伴う、表面とを伴う、本体を含む。締結具本体は、インジケータの内向きに延在する部分の少なくとも一部を受容するための係合表面を含む。
【０００９】
本発明はまた、本発明の任意の実施形態によるインジケータと本発明の任意の実施形態による締結具の少なくとも１つのアセンブリを有する、ハブアセンブリに関する。
【００１０】
本発明はまた、複数のインジケータを含有するためのキットに関し、キットは、容器と、本発明の任意の実施形態による複数のインジケータとを備える。
【００１１】
これらおよび他の実施例は、一定の比率に縮小した図面と併せて、以下により完全に記載され、その簡単な説明が、以下に続く。
【図面の簡単な説明】
【００１２】
【図１】図１は、ナットとナットインジケータのアセンブリの上側等角図である。
【図２】図２は、図１のアセンブリの側面立面図および部分的縦方向断面図である。
【図３】図３は、図１のナットインジケータの上側等角図である。
【図４】図４は、図３のナットインジケータの上部平面図である。
【図５】図５は、図３のナットインジケータの矢状断面である。
【図６】図６は、図１のナットの側面立面図および部分的縦方向断面である。
【図７】図７は、図１のアセンブリの縦方向断面である。
【図８】図８は、ナットインジケータを含む、容器および内容物を有する、キットの略図である。
【図９】図９は、１つまたはそれを上回るナットおよびナットインジケータを含む、容器および内容物を有する、キットの略図である。
【図１０】図１０は、本発明の第２の実施形態による、アセンブリの側面立面図である。
【図１１】図１１は、図１０のアセンブリの縦方向断面図である。
【図１２】図１２は、図１１の詳細である。
【図１３】図１３は、図１０のアセンブリを備える、ホイールハブアセンブリの上部平面図である。
【図１４】図１４は、図１３のホイールハブアセンブリの縦方向断面図の詳細である。
【発明を実施するための形態】
【００１３】
図面と関連して検討される本明細書は、任意の当業者が本発明を作製および使用し得るような様式において、本発明の１つまたはそれを上回る側面を組み込む装置および方法の実施例を記載する。実施例は、本発明を実施するために検討される最良態様を提供するが、種々の修正が本発明のパラメータ内で遂行され得ることを理解されたい。
【００１４】
インジケータと、インジケータを作製し、ナットまたはボルトと組み立てる方法の実施例が、説明される。所与の構造または所与のアセンブリ内に組み込まれる特徴もしくは複数の特徴に応じて、利点は、構造またはアセンブリにおいて達成されることができる。例えば、ナットまたはボルトと係合するための係合表面もしくは要素を使用するインジケータは、組立がより容易であり得、ナットまたはボルトとより固着して係合され得る。
【００１５】
改良はまた、インジケータと、それらが設置されるナットおよび／またはボルト等の締結具のアセンブリ内にも提供される。本明細書に説明されるもの等の締結具とインジケータのアセンブリは、取扱がより容易であり得、インジケータは、締結具上により固着して保持されることができる。締結具とインジケータアセンブリはまた、十分な力がインジケータに印加されない限り、締結具からのインジケータの軸方向抜去の可能性が低減されるように構成されることができる。
【００１６】
これらおよび他の利点は、本明細書の実施例の説明の検討によって、より明白となるであろう。しかしながら、特定の実施例に関して議論される利点または特徴の全てが、これらの実施例によって検討される１つまたはそれを上回る利点を達成するために、インジケータ、アセンブリ、または方法の中に組み込まれなければならないわけではないことを理解されたい。加えて、実施例の特徴は、利点が他の可能性として考えられる構成と比較して最適ではあり得ない場合でも、ある程度の所与の利点を達成するために、インジケータ、アセンブリ、または方法の中に組み込まれることができることを理解されたい。例えば、１つまたはそれを上回る利点は、コスト削減、効率を達成するために、もしくは特定の製品構成または方法に関わる当業者に公知の他の理由から、所与の構成では、最適化され得ない。
【００１７】
いくつかのインジケータ構成と、インジケータを作製し、組み立てる方法との実施例が、本明細書に説明され、いくつかは、特定の締結具構成と併用される際に特定の利点を有する。しかしながら、これらの装置および方法は、本時点でともに検討される場合でも、それらが組み合わせられる、ともに使用される、または１つの構成要素もしくは方法が任意の他の構成要素または方法もしくは組み合わせと併用される要件は、存在しない。加えて、所与の構成要素または方法が、依然として、望ましい結果を達成しながら、本明細書で明示的に議論されない他の構造または方法と組み合わせられ得ることを理解されたい。
【００１８】
正面、背面、側面、左および右、上側および下側、ならびに同等物等の配向に関して使用される専門用語は、本明細書では、単に、理解および参照を容易にするために使用され、説明および図示されている構造に関する排他的用語として使用されるものではないことを理解されたい。
【００１９】
インジケータが、いくつかの構成を有する、ナット上で使用されることができ、そのうちの１つが本明細書に説明される。インジケータ２００とナット３００のアセンブリ１００（図１−２および７）は、ボルト、スタッド、ピン、または他の締結具を定位置に固着するために、個別のボルト、スタッド、ピン、または他の締結具と併用されることができる。ボルトまたはピンは、例示的オス型締結具に関して本明細書に説明されるであろうが、他のオス型締結具および他の締結具構成も、本明細書に説明されるインジケータと併用されることができることを理解されたい。
【００２０】
インジケータは、縦軸２０４（図５）に沿って延在する、本体２０２（図３−５）を含む。本体は、中間部分２０６を含み、第１の端部から第２の端部まで本体を通してボア２０８を画定することに役立つ。ボアの表面は、本例示的多角形表面２１０では、複数の表面部分または回転限定表面を含む。多角形表面２１０は、以下により完全に説明される、ナット３００またはピン６００の外部部分上の相補的表面に実質的に共形化するように構成される。本明細書で使用されるように、「実質的に」とは、指定されるパラメータまたは構成の±１０％を意味するものとする。本実施例における多角形表面２１０は、ナット３００またはピン６００上の相補的なフランジ付き１２ポイント（ｂｉ−ｈｅｘａｇｏｎａｌ）表面に係合するであろう、フランジ付き１２ポイント表面である。多角形表面は、ナット、ピン、または他の同様に構成される締結具上の相補的六角形表面に係合するであろう、六角形表面であってもよい。
【００２１】
多角形表面２１０はそれぞれ、実質的に同じであって、下側部分２１２から上側部分２１４まで軸方向に延在する。多角形表面は、ボア２０８の内部の間で実質的に連続であって、その周囲に均一に離間される。
【００２２】
インジケータはまた、基部部分２１５を本体２０２の第１のまたは下側端部２１６に含む。基部部分は、基部が本体の残りより広くなるように、本体２０２の半径方向外向きに延在する、リム２１８を含んでもよい。リム２１８は、本体の底部表面２２０（図５）から上向きに延在する。基部部分はまた、締結具、例えば、ナット、ピン、または他の締結具要素の回転を限定し、および／または本体の周縁上の既知の位置を指定することに役立つために十分に強固である、ポインタ、非対称周縁部分、または他の構造であり得る、インジケータ部分２２２を含む。インジケータ部分は、締結具を用いてアセンブリ上に位置付けられ、下層構造、例えば、ホイールハブ上の表面、もしくは既知の場所に隣接するインジケータ部分および／または点等の構造要素に係合する。本実施例では、インジケータ部分２２２およびリム２１８は、同一厚さを有し、相互に連続し、リム２１８は、インジケータ部分によって占有されない基部部分の残りの周囲に延在する。インジケータ部分２２２は、上方または下方から見ると、中心軸２０４と交差する半径上に約６０°の角度で収束し、その側は、個別のリム表面に対して実質的に接線である。
【００２３】
本体の基部部分２１４は、底部表面２２０からボア２０８の中に延在する、アプローチまたは入口面積２２４を含む。本実施例では、入口面積２２４は、略円錐台状表面２２６によって画定される。本実施例における円錐台状表面２２６は、底部表面２２０内の開口部の周囲に完全に、ナット、ピンのヘッド、または他の締結具要素の暴露される端部にわたってインジケータを誘導することに役立つ角度で延在する。中心軸２０４に対する円錐台状表面の角度は、円錐台状表面２２６が隣接するナット表面に接触するように、インジケータがナットまたはピンにわたって設置されると、ナット表面またはヘッド表面上の隣接する角度に実質的に共形化するよう選択されてもよい。
【００２４】
インジケータの上側または上部部分２２８（図５）は、本体から上部表面２３０まで延在し、第２の端部は、底部表面２２０の反対にある。上側部分２２８は、弾力可撓性係合部分、本例では、内向きに延在するリム２３２を含む。リム２３２は、本体内に、ボアの中への上側開口部２３４を画定する、壁を形成する。リム２３２は、リムが、ナットにわたって延在し、相補的表面に係合し得、好適な除去力が印加されない限り、または印加されるまで、リムおよび相補的表面がインジケータの除去を限定するように、十分に弾力可撓性であるように形成される。本実施例では、リムは、略円形であって、ボアを上側開口部２３４内に形成する。リムは、若干収束するように延在する、リムの下側部分内の軸方向に延在する部分２３３ａ、または一定角度の場合、上部表面２３０で終端する、リムの上側部分内の円錐台状部分２３３ｂを含む。円錐台状部分２３３ｂは、軸に対して鋭角でインジケータの中心軸２０４（図５）に向かって内向きに延在する。しかしながら、他の実施例では、弾力可撓性係合部分は、ナット上の相補的構造または複数の構造に係合するために、ボアの中に内向きに延在する、単一構造であることができる、または開口部を中心として離散して、均一に、もしくは別様に分散され、ボアの中に内向きに延在する、複数の突起であることができる。単一突起、または開口部を中心として離散して、均一に、もしくは別様に分散される、複数の突起の実施例では、少なくとも１つまたは各突起は、軸２０４に対して鋭角に延在する、または代替として、軸に対して鋭角に延在する平面（図示せず）内に延在する、内部表面を有することができる。
【００２５】
内向きに延在するリム２３２または他の弾力可撓性係合部分は、好ましくは、締結具上の相補的表面に確実に係合し、締結具から手動で除去される、または別様に意図的に引き出されずに、インジケータが係脱する可能性を低減させるように定寸される。本実施例では、リム２３２は、多角形表面２１０の最小直径または小径２３６（図４）と等しくもしくは若干それを上回って（越えて）中心軸に向かって半径方向内向きに延在する。そのような実施例では、リム２３２は、ボア内の溝２３８を越えて有意な距離に内向きに延在し、これはまた、リムが例示的締結具におけるナットまたはボルト上の相補的隣接表面にわたって延在することを意味する。より大きい直径または大径２４０は、対向溝２３８間に延在し、本実施例では、ボアの最大直径を表す。リムまたは他の弾力可撓性係合部分は、中心軸２０４に向かってさらに内向きに延在し、開口部２３４の直径を低減させることができる。
【００２６】
多角形表面２１０は、好適な表面に沿って、リム２３２に対して内向きおよび上向きに遷移する。本実施例では、多角形表面２１０は、隣接する角度付けられた表面２４２（図５）に沿って遷移し、ボア２０８がリム２３２まで遷移することを可能にする。
【００２７】
本実施例では、本体の中間部分２０６の外側周縁表面およびインジケータの上側部分２２８は、外側手動把持表面２４４または外側レンチ留め表面２４４、本実施例では、軸方向に延在するフランジ付き１２ポイント外側表面２４４を含む。本実施例では、フランジ付き１２ポイント外側表面２４４は、ボア内の多角形表面２１０の類似表面変形例を補完するように形成される。これは、本体が、それ以外は、比較的に均一厚さを円周方向に有することを可能にする。本体の外側表面および上側部分はまた、円形または平滑であってもよい、または他の所望の表面構成を有してもよい。例えば、本体の外側表面２４４は、ボア内の多角形表面２１０と異なるように形成されることができる。例えば、本体の外側表面２４４は、六角形または他の幾何学的形状であることができ、ボア内の多角形表面２１０は、外側表面と異なる、フランジ付き１２ポイントまたは他の幾何学的形状であることができる、またはその逆である。外側表面２４４は、例えば、適切なまたは標準的ツールを用いて、インジケータを除去せずに、締結具が再緊締される、または位置付けられることを可能にする。
【００２８】
本実施例におけるインジケータは、単一材料から形成される。インジケータは、モノリシックである。材料は、可撓性であって、本実施例では、インジケータが、亀裂を伴わずに、または恒久的に変形されずに、締結具の相補的部分にわたって容易に嵌合し、締結具の隣接する外側表面にしっかりと共形化し得るように十分に弾力可撓性である。材料は、ナイロンまたはＴＯＲＬＯＮ（Ｒ）材料もしくは加工プラスチック等のポリマー樹脂であってもよい。本実施例では、多角形表面２１０は、例えば、インジケータがナットの相補的部分にわたって設置されるとき本体が伸展される、滑合を提供するために使用されることが意図される、ナットの設計に従って定寸される。本実施例では、インジケータの本体は、締結具から除去されるまで、その弛緩状態に戻ることが不可能であって、締結具の対応する部分は、インジケータの対応する内部表面より若干大きい寸法である。本構成では、インジケータは、締結具の対応する部分にわたって設置され、本体およびリムは、締結具上の定位置にスナップ嵌合されることができる。
【００２９】
他の構成では、インジケータは、共成形または他の公知の技法等によって、複数の材料から形成されることができる。例えば、締結具の一部に係合するためのインジケータ上の内向きに延在する突起は、本体よりもより弾力性の材料から形成されることができる。本体は、締結具のレンチ留め部分にわたって容易に嵌合するように形成されることができ、係合部分は、締結具の対応する表面上の定位置に弾力的にスナップ嵌合する。加えて、インジケータの他の部分、例えば、基部またはインジケータ部分は、インジケータの上側部分の係合部分よりもより硬質の材料またはより軟質の材料から形成されてもよい。インジケータはまた、上部で閉鎖される、またはリム２３２の上方にさらなる低減された開口部を有してもよく、十分なあそびが、リムが締結具の一部にわたって弾力的に撓曲し、相補的表面に係合するために提供され、一実施例では、定位置にスナップ嵌合する。
【００３０】
インジケータが使用され得る、締結具の一実施例は、ナット３００である。ナット３００は、いくつかの構成をとることができる。図示される実施例では、ナット３００（図１−２および６−７）は、内部ねじ山付き３０６または別様に相補的オス型締結具３０７、例えば、螺旋係合表面と係合するように構成される、ボア３０４を有する、本体３０２を含む。ナットは、基部表面３０８から上部表面３１０まで延在する。本実施例では、ねじ山３０６は、底部表面から上部表面までボアの全長に延在する。別の実施例では、特に、ナットが基部表面の近傍に形成される１つまたは２つのカウンタボアを有するとき、ねじ山は、ボアの長さの一部のみに延在する。ナットは、基部３１０を含み、ナットの基部の周囲にカラー３１２を形成する。円錐台状表面３１４が、基部３１０から複数のレンチ留め表面３１６まで上向きおよび内向きに延在する。円錐台状表面３１４の傾きまたは角度は、インジケータ内の円錐台状表面２２６の傾きまたは角度によって補完される。
【００３１】
レンチ留め表面は、いくつかの構成をとることができ、本実施例では、フランジ付き１２ポイントレンチ留め表面である。インジケータ内の内部多角形表面２１０は、本実施例では、ナット上のレンチ留め表面３１６に共形化し、それを補完するように構成される。多角形表面２１０の内側寸法は、それらがレンチ留め表面３１６の外側寸法より若干小さく、インジケータがレンチ留め表面にわたってぴったりとまたは緊密に嵌合するように選択される。
【００３２】
レンチ留め平坦部３１６は、ナットの本体の外側表面内の円周方向または環状溝３１８で終端する、またはそこまで遷移する。本実施例では、環状溝３１８までの遷移３２０は、レンチ留め平坦部の端部における複数の表面を伴って生じ、複数の表面は、円錐台状表面に継合または近似する。インジケータの内部の角度付けられた表面２４２は、円錐台状表面３２０に近似するかまたはそれに相補的である。環状溝３１８は、ナットの円周を中心として連続的に延在する、略円筒形外部表面を有する。環状溝３１８は、インジケータの上側部分におけるリム３３２を環状溝内に受容し、位置付ける。環状溝３１８は、環状溝３１８からナットの円周を中心として半径方向外向きに延在する、辺縁または肩部３２２で終端する。
【００３３】
肩部３２２は、上部表面３１０まで上向きに延在する。本実施例では、肩部３２２の外壁は、上部表面３１０まで上向きかつ若干内向きに延在する、円錐台状表面３２４を形成する。円錐台状表面３２４は、ナットにわたるインジケータの据付をより容易にする。他の表面構成もまた、可能性として考えられる。
【００３４】
インジケータ２００は、入口表面２２４をナット３００上の円錐台状表面３２４にわたって位置付けることによって、ナット３００上に組み立てられることができる。インジケータは、インジケータ２２２がアセンブリ上の所望の位置に向き、多角形表面２１０がナット上のレンチ留め平坦部３１６と整合するように枢動される。インジケータは、次いで、角度付けられた表面２４２（図３−５）がナットの円錐台状表面３２４に接触するまで、ナット上に圧接される。インジケータは、次いで、リム３３２が環状溝３１８内の定位置に落ち着くまで、リム３３２が、外向きに延在し、円錐台状表面３２４および辺縁３２２にわたって進行するようにさらに圧接される。インジケータの軸方向移動は、次いで、両軸方向において限定され、インジケータの軸方向除去は、インジケータ上に十分な除去力を伴わない限り、困難となるであろう。インジケータ上の下側円錐台状表面２２６は、ナット上の下側円錐台状表面３１４に接触し、インジケータ上のリム２３２の下方の角度付けられた表面２４２は、ナット上の円錐台状表面３２０に対して静置する。
【００３５】
複数のインジケータ２００が、キット、例えば、キット４００（図８）内への含有のために組み立てられることができる。本実施例では、キットは、本明細書に説明されるもの等のナットインジケータを保管、発送、および／または保護するための所望の構造の容器４０２を含む。図８におけるキット４００の実施例では、キットは、インジケータ２００、例えば、本明細書に説明されるもののいずれか等のインジケータのみを含有する。一実施例では、インジケータ２００は、全て同じである。別の実施例では、キット内の少なくとも１つのインジケータは、別のインジケータと異なる。例えば、少なくとも１つのインジケータは、第１の軸方向長を有する第１のナットに対応する、異なる軸方向長を有してもよく、少なくとも１つの他のインジケータは、第２の軸方向長を有する第２のナットに対応する、異なる軸方向長を有する。インジケータは、全ての他の点において同じであることができる、または所望に応じて、他の差異を有してもよい。異なる構成を有するインジケータは、意図されるナットとより容易に合致するように、選択された識別スキームに従って、マークまたは標識されることができる。
【００３６】
キットの別の実施例では、複数のインジケータ２００が、１つまたはそれを上回るナット３００を伴う、キット、例えば、キット５００（図９）内への含有のために組み立てられることができる。一実施例では、インジケータ２００は全て、同じであって、例えば、複数のそのようなナット３００が存在する場合、同一キット内のナット３００および／またはピン（図示せず）等の締結具と併用するために具体的に意図される。別の実施例では、インジケータ２００は、軸方向長、レンチ留め構成、インジケータサイズ、および同等物等の１つまたは複数の識別可能特性を除き、同じであることができる。インジケータおよび／または締結具構成の他の組み合わせも、好適な容器５０２内のキットに含まれることができる。
【００３７】
インジケータ２００が使用され得る、締結具の別の実施例は、ピン、ボルト、または他のオス型ねじ山付き締結具６００（図１０−１４）を含む。図示される実施例では、ピン６００は、ピンの第１の端部部分にヘッド６０２を含み、例えば、図１０における切断線１１−１１によって示されるように、中心軸を中心として円周方向に延在する。シャンク６０４が、ヘッド６０２から、ヘッド６０２と反対の締結具の端部におけるねじ山付き端部部分６０６まで軸方向に延在する。ピン６００は、任意の従来のピンであることができ、例えば、本明細書に説明されるように、ヘッド６０２において修正されてもよい。ピン６００のねじ山付き端部部分６０６は、本明細書に説明されるような任意のナット要素または任意の他の好適なナット構成と併用されることができる。
【００３８】
ピンのヘッド６０２は、締結具によって固着されるための構造上の表面に接触し、それに対して支承するための略平面下側表面６１０を有する、半径方向に延在するリム６０８を含む。本実施例では、リム６０８は、略直円柱形であって、下側表面６１０から上向きに延在する。ヘッド６０２は、本実施例では、所望の角度においてリム６０８から上向きおよび内向きに延在する、円錐台状表面６１４を含む。本実施例では、角度は、インジケータ２００の円錐台状表面２２６の角度と実質的に相補的である、または異なる角度を有する、もしくはインジケータ２００と異なる幾何学形状を有するインジケータに共形化することができる。
【００３９】
ピン６００は、円錐台状表面６１４から略軸方向に延在する、レンチ留め表面６１６を含む。本実施例におけるレンチ留め表面６１６は、ピンのヘッドが、ナット３００上に設置され、それによって受容され得る、インジケータ２００のいずれかを受容し受け入れ得るように、ナットのレンチ留め表面３１６の幾何学形状と実質的に同じであるように構成される。レンチ留め表面の上部は、個別の表面６１７で終端し、ピンのヘッドの周囲に円周方向に延在する円錐台状表面幾何学形状を形成する。本実施例では、円錐台状幾何学形状６１７は、インジケータ２００の内部の円錐台状表面または角度付けられた表面２４２と相補的である。代替として、ピンのヘッドは、異なる幾何学形状を有することができ、例えば、その１つは、依然として、インジケータ３００を受け入れてもよい、またはその１つは、異なる内部幾何学形状を有するインジケータを受け入れてもよい。本実施例では、レンチ留め表面は、インジケータ内の内部多角形表面２１０が共形化し、相補的である、フランジ付き１２ポイントレンチ留め表面である。１つの構成では、多角形表面２１０の内側寸法は、それらがピンヘッドのレンチ留め表面６１６の外側寸法より若干小さく、インジケータがレンチ留め表面にわたってぴったりとまたは緊密に嵌合するように選択される。他の構成もまた、使用されることができる。
【００４０】
レンチ留め表面６１６は、ピンのヘッドの外側表面内の円周方向または環状溝６１８（図１２）まで遷移する。本実施例では、環状溝６１８は、略円筒形外部表面を有し、ヘッド６０２の円周を中心として連続的に延在する。環状溝６１８は、本実施例では、インジケータ上の最内表面幾何学形状が環状溝内に位置付けられるように、インジケータの上側部分２２８を受容し、位置付ける。環状溝６１８は、環状溝６１８からピンのヘッドの半径方向外向きに延在する、辺縁または肩部６２２で終端する。肩部６２２の周縁表面は、ピンヘッドの上部表面６２３に対して上向きに収束する。収束する周縁表面は、円錐台状表面を肩部６２２の底部とピンヘッドの上部表面６２３との間に形成する。円錐台状表面は、ピンのヘッドにわたるインジケータの据付をより容易にする。他の表面構成もまた、可能性として考えられる。ピンのヘッド上へのインジケータ２００の組立は、ナット３００上へのインジケータのアセンブリに関して説明されたものと実質的に同一である。
【００４１】
本明細書に説明されるもの等の締結具アセンブリは、いくつかの用途を有し、一実施例では、ホイールアセンブリ上で使用されることができる。一実施例では、ホイールハブアセンブリ７００（図１３−１４）は、複数の締結具アセンブリ８００を用いてともに固着される、第１および第２のハブ７０２ならびに７０４を含む。第１および第２のハブは、所望の用途に対応するいくつかの方法で構成され得る、従来のホイールハブである。本実施例では、各締結具アセンブリは、ナット３００を受容するピン６００を含み、そのそれぞれは、個別のワッシャ８０２に対して支承する。各ピンおよび各ナットは、それらに固着される個別のインジケータを有し、インジケータは、ナットにわたって延在し、ナット内の環状溝との係合を通して、それによって保定され、インジケータは、ピンのヘッドにわたって延在し、ヘッド内の環状溝との係合を通して、それによって保定される。ピンのヘッド上のインジケータは、ハブ７０４に対するピンの可能性として考えられる枢動または移動を示すために使用されることができる。本実施例では、各締結具アセンブリは、オス型およびメス型締結具要素と、オス型およびメス型締結具要素の個別のもの上の少なくとも１つであって、図示されるように、２つのインジケータとを含む。２つのインジケータの場合、各インジケータは、その個別の締結具要素の可能性として考えられる枢動を識別するために使用されることができる。インジケータのいずれかまたは両方はまた、外部表面に隣接して、および／またはそれに接触して、例えば、ボス、側壁、もしくはハブに対して固定される他の構造等、ハブ上の表面、または例えば、隣接する締結具アセンブリ上の対応するインジケータに隣接して、および／またはそれに接触して、インジケータ部分２２２を位置付けることによって、関連付けられた締結具要素の移動を限定するために使用されることができる。例えば、締結具のヘッド上のインジケータは、ハブ上の外部表面に隣接して、および／またはそれに接触して、もしくは隣接する締結具アセンブリのヘッド上の対応するインジケータに隣接して、および／またはそれに接触して、位置付けられることができる。図１３−１４に図示される実施例では、隣接する対の締結具アセンブリは、相互に接触する個別のナット上の個別のインジケータと、また、相互に接触する同一対の締結具アセンブリ内の個別のヘッド上の個別のインジケータとを有する。代替として、隣接する対の締結具アセンブリは、相互に接触する個別のナット上の個別のインジケータを有することができる一方、対内の締結具アセンブリの１つのヘッド上の個別のインジケータは、隣接するが、異なる対の締結具アセンブリ内の締結具アセンブリのヘッド上のインジケータに接触する。
【００４２】
ハブが、それらを相互に隣接して設置し、それらを本明細書に説明されるタイプの１つまたはそれを上回る締結具アセンブリとともに固着することによって、組み立てられてもよい。第１の締結具アセンブリ８００が、第１および第２のハブ内に整合される開口部内に固着され、インジケータが、ピンのヘッド上に設置され、所望に応じて、インジケータが、締結具アセンブリのナット上にも設置される。各インジケータ上のインジケータ部分は、対応するハブ上の表面に対して、または隣接する締結具アセンブリ上のインジケータ部分およびそのインジケータに対して設置されてもよい。隣接する対の締結具アセンブリは、締結具アセンブリ内のナット上の個別のインジケータが相互に接触し得、ピンヘッド上の個別のインジケータが相互に接触し得るように、組み立てられることができる。他の構成もまた、可能性として考えられる。
【００４３】
したがって、いくつかの例示的実装が説明されたが、種々の改変および修正が、本明細書で議論される概念から逸脱することなく行われることができることが明白であろう。そのような改変および修正は、上記に明示的に説明されないが、それでもなお、本発明の精神および範囲内にあることが意図および含意される。故に、前述の説明は、例証のみとして意図される。
【図１】
2018535377.tif 000003
【図２】
2018535377.tif 000004
【図３】
2018535377.tif 000005
【図４】
2018535377.tif 000006
【図５】
2018535377.tif 000007
【図６】
2018535377.tif 000008
【図７】
2018535377.tif 000009
【図８】
2018535377.tif 000010
【図９】
2018535377.tif 000011
【図１０】
2018535377.tif 000012
【図１１】
2018535377.tif 000013
【図１２】
2018535377.tif 000014
【図１３】
2018535377.tif 000015
【図１４】
2018535377.tif 000016
【国際調査報告】
2018535377.tif 000017
2018535377.tif 000018